(57)【要約】  有機オプトエレクトロニクスデバイスを提示する。これは、基板（１）と、有機発光素子（２）と、有機ビーム検出素子（３）とを有しており、有機発光素子（２）は有機発光層（２２）を２つの電極（２１、２２）の間に有しており、有機ビーム検出素子（３）は有機ビーム検出層（３２）を有している。有機発光素子（２）と有機ビーム検出素子（３）は基板（１）上に配置されており、有機発光素子（２）は、動作時に可視光を放射するように構成されており、有機ビーム検出素子（３）は、動作時に赤外線を検出するように構成されている。
2016514341.tif 000002
【特許請求の範囲】
【請求項１】
有機オプトエレクトロニクスデバイスであって、
・基板（１）と、
・有機発光素子（２）と、
・有機ビーム検出素子（３）とを有しており、
前記有機発光素子（２）は、有機発光層（２２）を２つの電極（２１、２２）の間に有しており、
前記有機ビーム検出素子（３）は、有機ビーム検出層（３２）を有しており、
・前記有機発光素子（２）と前記有機ビーム検出素子（３）は、前記基板（１）上に配置されており、
・前記有機発光素子（２）は、動作時に可視光を放射するように構成されており、
・前記有機ビーム検出素子（３）は、動作時に赤外線を検出するように構成されている、
ことを特徴とする有機オプトエレクトロニクスデバイス。
【請求項２】
前記有機発光素子（２）と前記有機ビーム検出素子（３）は、前記基板（１）の同じ主表面（１ａ、１ｂ）上に、水平方向に、相互に間隔を空けて配置されている、請求項１記載の有機オプトエレクトロニクスデバイス。
【請求項３】
前記有機ビーム検出素子（３）の領域において、前記基板（１）の、前記有機ビーム検出素子とは反対側にある主表面（１ｂ）に、パターニングされた領域（１４）が形成されており、当該パターニングされた領域は赤外線用の集光レンズとして作用し、すなわち前記パターニングされた領域に基づいて、パターニングされた領域が無い場合と比べてより広い立体角範囲から、赤外線が前記有機ビーム検出素子（３）に入射する、請求項１または２記載の有機オプトエレクトロニクスデバイス。
【請求項４】
前記有機発光素子（２）と前記有機ビーム検出素子（３）とは、少なくとも部分的に相互に重ねて配置されている、請求項１記載の有機オプトエレクトロニクスデバイス。
【請求項５】
動作時に前記有機発光素子（２）によって生成された光は、前記オプトエレクトロニクスデバイスから出る前に、少なくとも部分的に、前記有機ビーム検出素子（３）を通過する、請求項４記載の有機オプトエレクトロニクスデバイス。
【請求項６】
前記基板（１）の、前記有機発光素子（２）とは反対側にある主表面（１ｂ）に、光散乱領域（１１）が形成されている、請求項１から５までのいずれか１項記載の有機オプトエレクトロニクスデバイス。
【請求項７】
前記有機発光素子（２）と前記有機ビーム検出素子（３）とは相互に電気的に直列接続されており、
前記有機ビーム検出素子（３）による赤外線の受光時に、前記有機発光素子（２）の通電が行われる、請求項１から６までのいずれか１項記載の有機オプトエレクトロニクスデバイス。
【請求項８】
前記有機発光素子（２）と前記有機ビーム検出素子（３）とは、コンタクト層（７）によって相互に導電性接続されており、当該コンタクト層（７）は前記基板上に形成されている、請求項７記載の有機オプトエレクトロニクスデバイス。
【請求項９】
前記有機発光素子（２）および前記有機ビーム検出素子（３）と導電性接続されている駆動制御装置（８）を有しており、
当該駆動制御装置（８）は、前記有機ビーム検出素子（３）から生じた信号に依存して前記有機発光素子（２）を制御するように構成されている、請求項１から８までのいずれか１項記載の有機オプトエレクトロニクスデバイス。
【請求項１０】
前記駆動制御装置（８）は前記有機ビーム検出素子（３）とともに、運動検出器または存在検出器を形成する、請求項９記載の有機オプトエレクトロニクスデバイス。
【請求項１１】
・前記有機発光素子（２）と前記有機ビーム検出素子（３）とは直接的に相互に導電性接続されておらず、
・前記駆動制御装置（８）は、前記有機ビーム検出素子（３）と直接的に導電性接続されており、
・前記駆動制御装置（８）は、前記有機ビーム検出素子（３）から生じる信号を増幅するように構成されており、
・前記駆動制御装置（８）は、電流源（９）を制御するように構成されており、
・前記電流源（９）は、前記有機発光素子（２）と直接的に導電性接続されている、請求項９または１０記載の有機オプトエレクトロニクスデバイス。
【請求項１２】
前記有機発光素子（２）の放射スペクトルは、前記有機ビーム検出素子（３）の吸収スペクトルとは異なる、請求項１から１１までのいずれか１項記載の有機オプトエレクトロニクスデバイス。
【請求項１３】
空間を照明するための光源である、請求項１から１２までのいずれか１項記載の有機オプトエレクトロニクスデバイス。
【請求項１４】
少なくとも１つの、請求項１から１３までのいずれか１項記載の有機オプトエレクトロニクスデバイスを有する照明器具であって、
前記少なくとも１つのオプトエレクトロニクスデバイスは、当該照明器具の光源を形成する、
ことを特徴する照明器具。
【発明の詳細な説明】
【技術分野】
【０００１】
有機オプトエレクトロニクスデバイスを提示する。
【０００２】
文献ＵＳ２００７／０１９４７１９Ａ１号は、有機オプトエレクトロニクスデバイスを開示している。
【０００３】
解決されるべき課題は、特にコンパクトに構成されている有機オプトエレクトロニクスデバイスを提供することである。
【０００４】
有機オプトエレクトロニクスデバイスの少なくとも１つの実施形態では、このデバイスは基板を含んでいる。この基板は、このデバイスの担体素子であり、この上にデバイスの他のコンポーネントが配置されている。基板は剛性体または、柔軟であり得る薄膜として形成されている。この基板は、対向する２つの主表面を有している。これらの主表面は、基板の側面によって相互に接続されている。基板は例えば、平行６面体の形状に形成されている。
【０００５】
基板は例えば、ビーム透過性の材料によって構成されている。ここで、基板を可視光および赤外線に対して、透き通って透過性に、または、乳白色で半透過性に構成することができる。基板はここで、少なくとも、近赤外線に対して透過性に構成されている。全体的に、この基板は、少なくとも近赤外および可視光のスペクトル領域においてビーム透過性である。「ビーム透過性」または「光透過性」とはここで、および、以降で、次のことを意味する。すなわち、ビーム透過性コンポーネントが、ビーム透過性コンポーネントに放射された、近赤外領域および可視光領域から成る電磁ビームの少なくとも５０％を通過させることを意味する。基板は例えば、プラスチックまたはガラスを用いて形成される、またはこれらの材料から成る。
【０００６】
さらに、基板をビーム不透過性に、例えば反射性に構成することが可能である。基板はこの場合には、金属またはセラミック材料から形成される。
【０００７】
「ビーム不透過性」または「光反射性」とは、ここで、および、以降で、次のことを意味する。すなわち、この反射性素子に入射する、近赤外および／または可視光のスペクトル領域から成るビームの少なくとも５０％がこの反射性素子によって反射されることを意味する。
【０００８】
有機オプトエレクトロニクスデバイスの少なくとも１つの実施形態では、このデバイスは、有機発光素子を含んでいる。有機発光素子は例えば、有機発光ダイオード（ＯＬＥＤ）を形成する。有機発光素子は、少なくとも１つの有機発光層を含んでいる。この有機発光層は、２つの電極、例えばアノードとカソードの間に配置されている。有機発光素子のこれらの電極は、ここで、ビーム透過性に、または、ビーム反射性に構成され得る。殊に、２つの電極をビーム透過性に構成すること、または、一方の電極をビーム透過性に構成し、他方の電極をビーム反射性に構成することが可能である。
【０００９】
有機オプトエレクトロニクスデバイスの少なくとも１つの実施形態では、有機オプトエレクトロニクスデバイスは、有機ビーム検出素子を有している。この有機ビーム検出素子は、例えば、有機フォトダイオードまたは有機フォトトランジスタであり得る。有機ビーム検出素子は、少なくとも１つの有機ビーム検出層を含んでいる。この有機ビーム検出層は、２つの電極の間に配置され得る。ここで殊に次のことが可能である。すなわち、有機ビーム検出素子が赤外線を検出するように構成されていることが可能である。すなわち、有機ビーム検出素子は可視光の検出用に構成されているのではなく、少なくとも、基板を通過することができる赤外線のスペクトル領域において感度を有している。例えば、有機ビーム検出素子は、近赤外からの赤外線を検出するように構成されている。
【００１０】
有機オプトエレクトロニクスデバイスの少なくとも１つの実施形態では、有機発光素子と有機ビーム検出素子は基板上に配置されている。ここで、２つの素子を基板の同じ主表面上で隣り合って配置することが可能である。さらに、２つの素子を相互に重ねて基板上に配置することが可能である。最後に、２つの素子を、基板の、相互に向かい合っている主表面に配置することも可能である。
【００１１】
２つの素子を、殊に、同じ製造技術で、例えば基板上の蒸着を用いて、製造することができる。
【００１２】
有機オプトエレクトロニクスデバイスの少なくとも１つの実施例では、デバイスは、ビーム透過性に構成されている基板と、有機発光層を２つの電極の間に有している有機発光素子と、有機ビーム検出層を有している有機ビーム検出素子とを有している。
【００１３】
ここで、有機発光素子も有機ビーム検出素子も基板上に配置されている。殊に、有機発光素子の発光スペクトルは、有機ビーム検出素子の吸収スペクトルと異なっている。有機発光素子は、動作時に、可視光を放射するように構成されており、有機ビーム検出素子は、動作時に、赤外線を検出するように構成されている。
【００１４】
本願に記載された有機オプトエレクトロニクスデバイスは、殊に以下の考察に基づいている：人が近くに居る時にのみ、オプトエレクトロニクスデバイスが光を生成することが望まれるオプトエレクトロニクスデバイス使用領域がある。このようなオプトエレクトロニクスデバイスを動かすために、運動検出器または存在検出器が必要である。これらの検出器は、オプトエレクトロニクスデバイスを制御する。オプトエレクトロニクスデバイスと運動検出器ないしは存在検出器とは、ここで、相互に別個のコンポーネントによって形成される。スペースの理由から、しばしば、少数の運動検出器または存在検出器しか空間内に配置されない。従って、人が居ない空間領域がしばしば照明されてしまう。
【００１５】
本願に記載されているオプトエレクトロニクス有機デバイスは、次のような着想に基づいている。すなわち、運動検出器または存在検出器用のセンサをデバイス内に組み込み、これによって特にコンパクトなオプトエレクトロニクスデバイスを提供する、という着想である。これによって、所期のように、例えば、人が居る、空間の領域を照明することができる。オプトエレクトロニクスデバイスはこのように特にコンパクトであり、かつ、これによって電気が節約される。なぜなら、実際に人が居る、空間領域だけが照明されるからである。
【００１６】
さらに、このオプトエレクトロニクスデバイスは特に容易に製造可能である。なぜなら、ビーム検出素子の製造および発光素子の製造に対して、同じ製造方法、例えば基板の上に素子を配置する蒸着技術が使用可能だからである。これに対して、有機発光ダイオード、すなわちビーム発光素子に対して付加的に、基板上に、赤外感知有機層が被着される。この赤外感知有機層は、ビーム検出素子を形成する。ビーム検出素子は、フォトダイオードまたはフォトトランジスタを形成する。これは、赤外領域において感知を行う。発光素子の制御は、このビーム検出素子の信号に依存して行われる。
【００１７】
本願に記載されたオプトエレクトロニクス有機デバイスは、運動検出器または存在検出器を備えた照明器具および照明システムに対して高い集積度を可能にする。さらに、ビーム検出素子をデバイス内に組み込むことで、製造を有利に行うことが可能になる。本願に記載されているオプトエレクトロニクス有機デバイスによって、空間の照明、殊に選択的な照明を低コストで実現することが可能になる。
【００１８】
有機オプトエレクトロニクスデバイスの少なくとも１つの実施形態では、有機発光素子と有機ビーム検出素子は、基板の同じ主表面上に、水平方向に相互で間隔を空けて配置されている。すなわち、２つの素子は、例えば相互に隣接して、基板の同じ主表面上に配置されており、ここでこれらの素子は水平方向において相互に間隔を有している。水平方向とはここでは、主要延在方向および基板の主表面に対して平行に延在している方向である。有機発光素子と有機ビーム検出素子を例えば隣り合って、基板の同じ主表面上に配置することが可能である。
【００１９】
有機オプトエレクトロニクスデバイスの少なくとも１つの実施形態では、有機ビーム検出素子の領域において、基板の、有機ビーム検出素子とは反対側にある主表面に、パターニングされた領域が形成されている。このパターニングされた領域は、有機ビーム検出素子によって検出されるべき赤外線用の集光レンズとして作用する。ここで、このパターニングされた領域に基づいて、赤外線が、このパターニングされた領域が無い場合と比べてより広い立体角範囲から、有機ビーム検出素子に入射する。パターニングされた領域はここで、基板の材料内に形成可能である。すなわち、基板を形成する材料を、例えば、検出素子とは反対側にある主表面で、集光レンズにパターニングすることができる。
【００２０】
さらに、基板の、検出素子とは反対側にある主表面に素子を配置することが可能である。この素子は、パターニングされた領域を形成する。例えば、集光レンズが、基板のこの主表面上に接着される。いずれにせよ、パターニングされた領域に基づいて、立体角範囲が増大する。この立体角度範囲から、検出素子によって検出された赤外線が受容される。このようにして、オプトエレクトロニクス有機デバイスが作動されている空間のより広い部分を、赤外線源または赤外線における変化に関して監視することができる。
【００２１】
有機オプトエレクトロニクスデバイスの少なくとも１つの実施形態では、有機発光素子と有機ビーム検出素子とは少なくとも部分的に重なり合って配置されている。すなわち、２つの素子は直接的に、基板の同じ主表面に配置されているのではなく、間接的に、基板の同じ主表面に配置されている。例えば、発光素子はビーム検出素子上に配置される。従って、ビーム検出素子は、発光素子と基板との間に配置されている。この場合には、動作時に、有機発光素子によって生成された光が、オプトエレクトロニクスデバイスを離れる前に、少なくとも部分的に有機ビーム検出素子を通過する。すなわち、ビーム検出素子はこの場合には、動作時に発光素子内で形成された光に対してビーム透過性に構成されている。
【００２２】
発光素子とビーム検出素子とが重なって配置されている有機オプトエレクトロニクスデバイスを特に、省スペース型に形成することができる。発光素子とビーム検出素子との間に配置されている電極も同様にビーム透過性に構成されており、かつ、発光素子およびビーム検出素子の電気的な接続に用いられる。これらの素子は、この電極を介して相互に直列接続可能である。
【００２３】
有機オプトエレクトロニクスデバイスの少なくとも１つの実施形態では、基板の、有機発光素子とは反対側にある主表面に、および／または、基板の、有機発光素子の方を向いている主表面に、光散乱領域が形成される。この光散乱領域は例えば、少なくとも１つの主表面での基板のパターニング、例えば粗面化によって形成可能である。さらに、光散乱領域を付加的な素子、例えば散乱層または散乱薄膜によって形成することができる。これは、少なくとも１つの主表面で、基板に固定されている。
【００２４】
有機オプトエレクトロニクスデバイスの少なくとも１つの実施形態では、有機発光素子と有機ビーム検出素子とは相互に電気的に直列接続されている。ここで、有機発光素子の通電は、有機ビーム検出素子による赤外線の受光時に行われる。ビーム検出素子が例えばフォトダイオードである場合には、フォトダイオードは、発光素子に対して逆方向で直列接続されている。赤外線の受光によって、ビーム検出素子は開通され、これによって発光素子に動作電流が供給される。このような構造は、特に容易に実現可能である、という利点を有している。ここでの欠点は、赤外信号が弱いと、発光素子の通電を生じさせるのに不十分であり得る、ということである。
【００２５】
有機オプトエレクトロニクスデバイスの少なくとも１つの実施形態では、有機発光素子と有機ビーム検出素子とは、コンタクト層によって相互に導電性に接続されている。ここでこのコンタクト層は、基板上に形成されている。コンタクト層は、例えば、有機発光素子および有機ビーム検出素子のそれぞれ１つの電極と導電性接続されている。コンタクト層は金属層によって形成され得る。金属層は例えば、基板の同じ主表面に蒸着されている。この主表面の上には、２つの素子も配置されている。
【００２６】
有機オプトエレクトロニクスデバイスの少なくとも１つの実施形態では、デバイスは、駆動制御装置を含んでいる。ここでこの駆動制御装置は、有機発光素子および有機ビーム検出素子と導電性接続されている。ここでこの駆動制御装置は、有機発光素子を、有機ビーム検出素子から生じる信号に依存して制御するように構成されている。この場合には、駆動制御装置によって、例えば、感度（それによって発光素子がビーム検出素子の信号に依存して制御される）を設定するために、ビーム検出素子から生じる信号がフィルタリングおよび／または増幅される。
【００２７】
有機オプトエレクトロニクスデバイスの少なくとも１つの実施形態では、駆動制御装置は有機ビーム検出素子とともに、運動検出器または存在検出器を形成する。すなわち、駆動制御装置によって、有機オプトエレクトロニクスデバイスは、電子センサになる。これは、自身の近傍において人の動きまたは滞在を識別し、デバイスの発光素子用の電気的なスイッチとして動作する。この場合には駆動制御装置によって、例えば、空間内での人の動きによって、発光素子を通電させて、光を生成させることが可能である。
【００２８】
有機オプトエレクトロニクスデバイスの少なくとも１つの実施形態では、有機発光素子と有機ビーム検出素子とは直接的に相互に導電性接続されておらず、駆動制御装置は、有機ビーム検出素子と直接的に導電性接続されている。駆動制御装置は、有機ビーム検出素子から生じる信号を増幅するように構成されている。駆動制御装置は、電流源を制御するように構成されており、この電流源は、有機発光素子と直接的に導電性接続されている。
【００２９】
この場合には駆動制御装置を、基板の上に配置する、または、基板から離れて配置することが可能である。さらに、駆動制御装置は、有機オプトエレクトロニクスデバイス用の駆動部の一部であり得る。これは、駆動制御装置の他に、発光素子を動作させるための電流源も含んでいる。有機発光素子と有機ビーム検出素子とが直接的に導電性接続されていない、という事実によって、ビーム検出素子の信号は駆動制御装置によって増幅可能である。ここでは、直接的に、発光素子の動作に影響は与えられない。発光素子はこの信号に依存して、同様に駆動制御装置と接続されている電流源を介して、スイッチングされる。
【００３０】
さらに照明器具が提示される。これは、上述した請求項のいずれか１項記載の少なくとも１つの有機オプトエレクトロニクスデバイスを含んでいる。すなわち、有機オプトエレクトロニクスデバイスに対して開示された全ての特徴は、照明器具に対しても開示されている。少なくとも１つのオプトエレクトロニクスデバイスは、ここで照明源または照明器具を形成する。殊に、２つ以上の、本願に記載したオプトエレクトロニクスデバイスを、照明器具の共通の１つの照明ケーシング内に配置することが可能である。この照明器具は、例えば、一般的な照明のために、通路の照明のために、または屋外照明のために使用され得る。ここでデバイスのビーム検出素子は、駆動制御装置とともに、運動検出器または存在検出器を形成し得る。
【００３１】
以下で、本願に記載された有機オプトエレクトロニクスデバイスを、実施例と属する図面とに基づいて詳細に説明する。
【図面の簡単な説明】
【００３２】
【図１】本願に記載された有機オプトエレクトロニクスデバイスの実施例の概略図
【図２】本願に記載された有機オプトエレクトロニクスデバイスの実施例の概略図
【図３】本願に記載された有機オプトエレクトロニクスデバイスの実施例
【図４】本願に記載された照明器具の取り付けの概略図
【実施例】
【００３３】
図面では同じ素子、同種の素子または同じ作用を有する素子に、同じ参照番号が付けられている。図面および図面に示されている素子間の大きさの比は、縮尺通りであると見られるべきではない。むしろ、個々の素子はより良く示すために、および／または、より良く理解するために、過度に大きく示されていることがある。
【００３４】
図１Ａの概略図は、本願に記載されている有機オプトエレクトロニクスデバイスの第１の実施例を示している。図１Ａの実施例では、有機発光素子２と有機ビーム検出素子３とが、基板１の第１の主表面１ａ上に、水平方向に、相互に間隔を空けて配置されている。基板１は、光と赤外線とを通す材料によって形成されている。例えば、基板１はガラスから成る。発光素子２とビーム検出素子３とは、同一平面上に、基板の第１の主表面１Ａ上に被着されている。これは例えば蒸着プロセスによって行われる。
【００３５】
発光素子２は、例えば透明なアノードである第１の電極２１と、少なくとも１つの光生成有機層２２と、例えばカソードである第２の電極２３とを含んでいる。これは、ビーム反射性またはビーム不透過性に形成可能である。
【００３６】
ビーム検出素子３は、同様に、第１の電極３１と、少なくとも１つの有機ビーム受光層３２と第２の電極３３とを含んでいる。
【００３７】
２つの素子２、３は、薄膜カプセル封入部によって封入されている。薄膜カプセル封入部は、例えば、ＰＥ−ＣＶＤ方法（プラズマ援用型化学気相成長、英語でplasma-enhanced chemical vapor deposition）および／またはＡＬＤ方法（原子層堆積、英語でatomic layer deposition）、例えばフラッシュＡＬＤ、光誘導型ＡＬＤ、および／または物理気相成長によって製造可能である。ここで、カプセル封入層列４が、２つの素子２、３を包囲し、２つの素子が１つの製造方法においてカプセル封入層列４でカプセル封入されることが可能である。
【００３８】
任意的に、２つの素子２、３の、基板１とは反対側にある面に、被覆体６を配置することが可能である。この被覆体は、接続手段５によってカプセル封入層列４に固定されている。例えば、接続手段５は、貼合わせ用接着剤であり、被覆体６はラミネートされたフィルム、ガラス、または他の被覆素子である。ここで、被覆体６が、デバイスの唯一の被覆体として、２つの素子の上に延在することが可能である。
【００３９】
オプトエレクトロニクスデバイスの動作時に、発光素子２は光１２を生成する。この光は、主要放射方向Ｒで放射される。光の放射は、基板１を通って行われる。第１の主表面１ａとは反対側にある第２の主表面１ｂに、任意に、光散乱領域１１を形成することができる。これは例えば散乱フィルム、散乱層、表面での基板の粗面化の形態および／または基板内の散乱中心の形態である。さらに、任意的、択一的または付加的に、他の光散乱領域（図示されていない）を、基板の第１の主表面１ａに、同様に形成することが可能である。
【００４０】
デバイス外部からの赤外線１３は、基板１を貫通し、ビーム検出素子３へと進み、ここで信号に変換される。この電気信号は例えば、コンタクト層７を介して転送される。コンタクト層は、コンタクト金属化部として第１の主表面１ａに形成され得る。ここで、例えば、コンタクト層７と１つの電極との間に、絶縁層２４を配置することができる。
【００４１】
図１Ａに示されているように、第１の主表面１ａとは反対側にある第２の主表面１ｂは、パターニングされた領域１４を含んでいる。ここで基板は赤外線１３用の集光レンズとして形成されている、または、ここでは、赤外線用の集光レンズとして作用する光学素子が基板１に固定されている。パターニングされた領域１４によって、パターニングされた領域１４が無い場合と比べてより広い立体角範囲から、赤外線がビーム検出素子３に入射する。
【００４２】
図１Ｂは、主表面１ａの概略的な平面図を示している。図１Ｂから見て取れるように、２つの素子２ａ、２ｂは、例えば、コンタクト層７によって、相互に、電気的に直列接続され得る。
【００４３】
これに対する可能な回路図が、図３Ａおよび３Ｂに示されている。図３Ａは、ビーム検出素子３が赤外フォトダイオードとして形成されている実施例に関する。発光素子２は、ビーム検出素子３と直列接続されている。ここでビーム検出素子３は逆方向で接続されている。赤外線１３の受光時に、検出素子３は開通され、発光素子２がビーム生成のために通電される。
【００４４】
図３Ｂでは、図３Ａの実施例とは異なり、ビーム検出素子３はフォトダイオードによって形成されているのではなく、赤外線フォトトランジスタによって形成されている。
【００４５】
図２Ａ、２Ｂと関連して、実施例を記載する。ここでは、ビーム検出素子３と発光素子２とが重なり合って配置されている。ここでビーム検出素子３は、直接的に、基板１および発光素子２と接しており、これら２つのコンポーネントの間に配置されている。
【００４６】
２つの素子２、３は、電極２１、３３に分かれる。これらの電極は、発光素子２内で生成された光１２に対して透過性に構成されている。ビーム検出素子３も、この光１２に対して透過性に構成されている。図２Ａの実施例は次の利点を有している。すなわち、赤外線１３が、オプトエレクトロニクスデバイスの放射面全体にわたって検出可能である、という利点を有している。このようにして、特に広い立体角領域からの赤外線を検出することができる。
【００４７】
図２Ｂに関連して、図２Ａのデバイスの基板１の第１の主表面１ａの概略的な平面図が示されている。
【００４８】
図３Ｃに関連して、デバイスの素子２、３の接続に対する、他の、基本的な回路図が示されている。ここでは、ビーム検出素子２が直接的に、駆動制御装置８と導電性接続されている。駆動制御装置は、例えば、増幅器を含んでいる。これは、検出素子２の信号を処理し、制御線路９２を介して電流源９に導く。電流源９と駆動制御装置８は、駆動部９１の一部であり得る。
【００４９】
図３Ｃの実施例では、発光素子２とビーム検出素子３は、直接的に、導電性接続されてない。ビーム検出素子３は、赤外フォトトランジスタとして、または、赤外フォトダイオードとして構成可能である。発光素子２とビーム検出素子３とは、殊に、基板１上に形成されている線路によって相互に導電性接続されていない。
【００５０】
デバイス１００は、図３Ｃの実施例では、駆動部９１を含んでいる。すなわち、駆動部９１のコンポーネントは基板１上に配置可能であり、例えば、同様に、有機コンポーネントによって形成可能である。この場合には、全てのコンポーネント、すなわち素子２、３、電流源９および駆動制御装置８を一緒にカプセル封入することが可能である。
【００５１】
しかし、駆動部９１を、デバイス１００の一部ではなく、デバイス１００と別個に配置することも可能である。
【００５２】
図４Ａ〜４Ｃに関連して、ここに記載されている照明器具の使用を説明する。ここでこの照明器具は、少なくとも１つの、本願に記載されているデバイスを光源として有している。デバイス１００のビーム検出素子３は、この照明器具では、駆動制御装置とともに、運動検出器を形成する。この運動検出器は空間内の人の動きを検出し、オプトエレクトロニクスデバイスの発光素子２を相応に起動させる。
【００５３】
このようにして、例えば、空間または通路内で動く人に、光が追従することが可能になる。ここで、既にアクティブなランプの光の明度を所定の時間の間だけ高める、または、ランプを特定の時間の間だけオンにすることが可能である。このようにして、エネルギー効率の良い照明が実現される。なぜなら、照明が必要な箇所でのみ、照明がされるからである。ビーム検出素子３を発光素子２と同じデバイス内に組み込むので、特にコンパクトな照明器具が実現される。
【００５４】
本発明は、実施例に基づいた記載によって、これらの実施例に制限されない。むしろ、本発明は特徴並びに、殊に特許請求の範囲に記載されている特徴の組み合わせを含む特徴の組み合わせを含んでいる。これは、これらの特徴またはこれらの組み合わせ自体が、明確に特許請求の範囲または実施例に記載されていない場合でも、当てはまる。
【００５５】
本特許出願は、ドイツ連邦共和国特許出願１０２０１２２２２４６３.７の優先権を主張し、その開示内容は本願に参照として組み込まれている。
【図１Ａ】
2016514341.tif 000003
【図１Ｂ】
2016514341.tif 000004
【図２Ａ】
2016514341.tif 000005
【図２Ｂ】
2016514341.tif 000006
【図３Ａ】
2016514341.tif 000007
【図３Ｂ】
2016514341.tif 000008
【図３Ｃ】
2016514341.tif 000009
【図４Ａ】
2016514341.tif 000010
【図４Ｂ】
2016514341.tif 000011
【図４Ｃ】
2016514341.tif 000012
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
有機オプトエレクトロニクスデバイスであって、
・基板（１）と、
・有機発光素子（２）と、
・有機ビーム検出素子（３）とを有しており、
前記有機発光素子（２）は、有機発光層（２２）を２つの電極（２１、２２）の間に有しており、
前記有機ビーム検出素子（３）は、有機ビーム検出層（３２）を有しており、
・前記有機発光素子（２）と前記有機ビーム検出素子（３）は、前記基板（１）上に配置されており、
・前記有機発光素子（２）は、動作時に可視光を放射するように構成されており、
・前記有機ビーム検出素子（３）は、動作時に赤外線を検出するように構成されており、
・前記有機オプトエレクトロニクスデバイスは、空間を照明するための光源である、
ことを特徴とする有機オプトエレクトロニクスデバイス。
【請求項２】
有機オプトエレクトロニクスデバイスであって、
・基板（１）と、
・有機発光素子（２）と、
・有機ビーム検出素子（３）と、
・駆動制御装置（８）とを有しており、
前記有機発光素子（２）は、有機発光層（２２）を２つの電極（２１、２２）の間に有しており、
前記有機ビーム検出素子（３）は、有機ビーム検出層（３２）を有しており、
前記駆動制御装置（８）は、前記有機発光素子（２）および前記有機ビーム検出素子（３）と導電性接続されており、
・前記有機発光素子（２）と前記有機ビーム検出素子（３）は、前記基板（１）上に配置されており、
・前記有機発光素子（２）は、動作時に可視光を放射するように構成されており、
・前記有機ビーム検出素子（３）は、動作時に赤外線を検出するように構成されており、
・前記駆動制御装置（８）は、前記有機ビーム検出素子（３）から生じた信号に依存して前記有機発光素子（２）を制御するように構成されている、
ことを特徴とする有機オプトエレクトロニクスデバイス。
【請求項３】
前記有機発光素子（２）と前記有機ビーム検出素子（３）は、前記基板（１）の同じ主表面（１ａ、１ｂ）上に、水平方向に、相互に間隔を空けて配置されている、請求項１または２記載の有機オプトエレクトロニクスデバイス。
【請求項４】
前記有機ビーム検出素子（３）の領域において、前記基板（１）の、前記有機ビーム検出素子とは反対側にある主表面（１ｂ）に、パターニングされた領域（１４）が形成されており、当該パターニングされた領域は赤外線用の集光レンズとして作用し、すなわち前記パターニングされた領域に基づいて、パターニングされた領域が無い場合と比べてより広い立体角範囲から、赤外線が前記有機ビーム検出素子（３）に入射する、請求項１から３までのいずれか１項記載の有機オプトエレクトロニクスデバイス。
【請求項５】
前記有機発光素子（２）と前記有機ビーム検出素子（３）とは、少なくとも部分的に相互に重ねて配置されている、請求項１または２記載の有機オプトエレクトロニクスデバイス。
【請求項６】
動作時に前記有機発光素子（２）によって生成された光は、前記オプトエレクトロニクスデバイスから出る前に、少なくとも部分的に、前記有機ビーム検出素子（３）を通過する、請求項５記載の有機オプトエレクトロニクスデバイス。
【請求項７】
前記基板（１）の、前記有機発光素子（２）とは反対側にある主表面（１ｂ）に、光散乱領域（１１）が形成されている、請求項１から６までのいずれか１項記載の有機オプトエレクトロニクスデバイス。
【請求項８】
前記有機発光素子（２）と前記有機ビーム検出素子（３）とは相互に電気的に直列接続されており、
前記有機ビーム検出素子（３）による赤外線の受光時に、前記有機発光素子（２）の通電が行われる、請求項１から７までのいずれか１項記載の有機オプトエレクトロニクスデバイス。
【請求項９】
前記有機発光素子（２）と前記有機ビーム検出素子（３）とは、コンタクト層（７）によって相互に導電性接続されており、当該コンタクト層（７）は前記基板上に形成されている、請求項８記載の有機オプトエレクトロニクスデバイス。
【請求項１０】
前記有機発光素子（２）および前記有機ビーム検出素子（３）と導電性接続されている駆動制御装置（８）を有しており、
当該駆動制御装置（８）は、前記有機ビーム検出素子（３）から生じた信号に依存して前記有機発光素子（２）を制御するように構成されている、請求項１から９までのいずれか１項記載の有機オプトエレクトロニクスデバイス。
【請求項１１】
前記駆動制御装置（８）は前記有機ビーム検出素子（３）とともに、運動検出器または存在検出器を形成する、請求項１０記載の有機オプトエレクトロニクスデバイス。
【請求項１２】
・前記有機発光素子（２）と前記有機ビーム検出素子（３）とは直接的に相互に導電性接続されておらず、
・前記駆動制御装置（８）は、前記有機ビーム検出素子（３）と直接的に導電性接続されており、
・前記駆動制御装置（８）は、前記有機ビーム検出素子（３）から生じる信号を増幅するように構成されており、
・前記駆動制御装置（８）は、電流源（９）を制御するように構成されており、
・前記電流源（９）は、前記有機発光素子（２）と直接的に導電性接続されている、請求項１０または１１記載の有機オプトエレクトロニクスデバイス。
【請求項１３】
前記有機発光素子（２）の放射スペクトルは、前記有機ビーム検出素子（３）の吸収スペクトルとは異なる、請求項１から１２までのいずれか１項記載の有機オプトエレクトロニクスデバイス。
【請求項１４】
少なくとも１つの、請求項１から１３までのいずれか１項記載の有機オプトエレクトロニクスデバイスを有する照明器具であって、
前記少なくとも１つのオプトエレクトロニクスデバイスは、当該照明器具の光源を形成する、
ことを特徴する照明器具。
【国際調査報告】
2016514341.tif 000013
2016514341.tif 000014
2016514341.tif 000015
2016514341.tif 000016
2016514341.tif 000017
2016514341.tif 000018